(57)【要約】      （修正有）【課題】携帯電話とともに動作可能に使用することのできるブルートゥースイヤーセットを提供する。【解決手段】内蔵マイクロホンを有する本体部と、該本体部に装着されるイヤホン部と、本体部とイヤホン部とを接続する接続装置とを備え、イヤホン部が接続装置によって本体部に保持され、接続装置が本体部に対してイヤホン部を収容状態と使用状態との間で回転させる回転機構を有することを特徴とする。【選択図】図１
0003163189.tif 000002
【実用新案登録請求の範囲】
【請求項１】
内蔵マイクロホンを有する本体部と、
前記本体部に装着されるイヤホン部と、
前記本体部と前記イヤホン部とを接続する接続装置と、
を備え、前記イヤホン部が前記接続装置によって前記本体部に保持され、前記接続装置が前記本体部に対して前記イヤホン部を収容状態と使用状態との間で回転させる回転機構を有することを特徴とするブルートゥースイヤーセット。
【請求項２】
Ｙ字状フレームが前記本体部の端部に設けられ、前記収容状態でイヤホンを収納する空間が前記Ｙ字状フレームの２つのＹ字状アーム間に設けられ、前記接続装置が前記Ｙ字状アームの端部の軸受け穴と前記イヤホン部の回転軸とによって構成され、前記本体部の縦軸と前記前記イヤホン部の縦軸とが約０度〜１８０度の角度を形成するように前記回転軸を中心に前記イヤホン部を回転させることができることを特徴とする、請求項１記載のブルートゥースイヤーセット。
【請求項３】
前記本体部の前記縦軸と前記イヤホン部の前記縦軸が約９０度の角度を形成する前記使用状態まで、前記回転軸を中心に前記イヤホン部を回転させることができ、前記接続装置には、前記回転角の範囲内で、内蔵の位置限定または角度限定機構と、途中で停止することのできるいくつかの溝突出止め具とが設けられることを特徴とする、請求項２記載のブルートゥースイヤーセット。
【請求項４】
斜面が前記本体部の上端に形成され、別の斜面が前記イヤホン部の下端に形成され、前記２つの斜面が前記収容状態において互いに接触しているときに前記本体部の縦軸と前記イヤホン部の縦軸とが直線で合致し、前記接続装置が前記一方の斜面上にある回転軸と、前記他方の斜面にあり、前記回転軸と対応する軸保持腔とによって構成され、２つの縦軸が直線で合致する前記収容状態から前記２つの縦軸が約９０度の角度を成す前記使用状態まで前記イヤホン部を約１８０度回転させることができるように、互いに接触させたまま前記２つの斜面を回転させることができることを特徴とする、請求項１記載のブルートゥースイヤーセット。
【請求項５】
前記本体部と前記イヤホン部が、前記各斜面と前記各縦軸との間で３０度〜４５度の角度を成すことを特徴とする、請求項４記載のブルートゥースイヤーセット。
【請求項６】
前記接続装置が、前記回転角の範囲の両端に内蔵の位置限定または角度限定機構を設けられることを特徴とする、請求項１または４記載のブルートゥースイヤーセット。
【請求項７】
クランプが装着されることを特徴とする、請求項１または４記載のブルートゥースイヤーセット。
【請求項８】
前記クランプを開閉するための回転軸が前記本体部の下端近傍の位置に配置され、前記クランプのクランプ口端部が前記イヤホン部近傍の位置に配置されることを特徴とする、請求項７記載のブルートゥースイヤーセット。
【請求項９】
前記クランプを開閉するための回転軸が前記本体部の上端近傍の位置に配置され、前記クランプのクランプ口端部が前記イヤホン部から離れた位置に配置されることを特徴とする、請求項７記載のブルートゥースイヤーセット。
【請求項１０】
中空穴が前記クランプのクランプ面に設けられることを特徴とする、請求項７記載のブルートゥースイヤーセット。
【請求項１１】
前記クランプが中空フレーム状であることを特徴とする、請求項７記載のブルートゥースイヤーセット。
【請求項１２】
前記クランプがグリッド状であることを特徴とする、請求項７記載のブルートゥースイヤーセット。
【請求項１３】
前記本体部に、有線で外部情報を受信し記憶するプラグポートが装着されることを特徴とする、請求項１記載のブルートゥースイヤーセット。
【請求項１４】
前記本体部に対して少なくとも９０度の角度で前記イヤホン部を回転させることができることを特徴とする、請求項１記載のブルートゥースイヤーセット。
【請求項１５】
前記接続装置に回転軸が設けられることを特徴とする、請求項１記載のブルートゥースイヤーセット。
【請求項１６】
前記接続装置にノブが設けられることを特徴とする、請求項１記載のブルートゥースイヤーセット。
【請求項１７】
前記接続装置に、前記回転角の範囲内でいくつかの溝止め部が設けられることを特徴とする、請求項１記載のブルートゥースイヤーセット。
【請求項１８】
前記接続装置に、正確に加工および嵌合される構造が設けられることを特徴とする、請求項１記載のブルートゥースイヤーセット。
【考案の詳細な説明】
【技術分野】
【０００１】
本考案は、携帯電話とともに動作可能に使用することのできるブルートゥースイヤーセットに関する。
【背景技術】
【０００２】
従来技術のブルートゥースイヤーセットは、ユーザの使い勝手の点で理想的ではない。たとえば、第１に、イヤホンの向きを回転できないこと、第２に、ブルートゥースイヤーセットにクランプが装着できないため、未使用のときにイヤーセットを簡便かつ容易に利用可能な位置に締め付けることができず、設計を改善する必要があることである。
【考案の概要】
【考案が解決しようとする課題】
【０００３】
本考案の目的は、上記の欠点を克服することのできる改良型ブルートゥースイヤーセットを提供することである。
【課題を解決するための手段】
【０００４】
本考案に係るブルートゥースイヤーセットは、内蔵マイクロホンを有する本体部と、本体部に装着されるイヤホン部と、本体部とイヤホン部とを接続する接続装置とを備え、イヤホン部が接続装置によって本体部に保持され、接続装置が本体部に対してイヤホン部を収容状態と使用状態との間で回転させる回転機構を有することを特徴とする。
【０００５】
本考案に係るブルートゥースイヤーセットでは、Ｙ字状フレームが本体部の端部に設けられ、収容状態でイヤホンを収納する空間がＹ字状フレームの２つのＹ字状アーム間に設けられ、接続装置がＹ字状アームの端部の軸受け穴とイヤホン部の回転軸とによって構成され、本体部の縦軸とイヤホン部の縦軸とが約０度〜１８０度の角度を形成するように回転軸を中心にイヤホン部を回転させることができる。
【０００６】
本考案に係るブルートゥースイヤーセットでは、本体部の縦軸とイヤホン部の縦軸が約９０度の角度を形成する使用状態まで、回転軸を中心にイヤホン部を回転させることができ、接続装置には、回転角の範囲内で、内蔵の位置限定または角度限定機構と、この範囲の途中で停止することのできるいくつかの溝突出止め具とが設けられる。
【０００７】
本考案に係るブルートゥースイヤーセットでは、斜面が本体部の上端に形成され、別の斜面がイヤホン部の下端に形成され、２つの斜面が収容状態において互いに接触しているときに本体部の縦軸とイヤホン部の縦軸とが直線で合致し、接続装置が一方の斜面上にある回転軸と、他方の斜面にあり、前記回転軸と対応する軸保持腔とによって構成され、２つの縦軸が直線で合致する収容状態から２つの縦軸が約９０度の角度を成す使用状態までイヤホン部を約１８０度回転させることができるように、互いに接触させたまま２つの斜面を回転させることができる。
【０００８】
本考案に係るブルートゥースイヤーセットでは、本体部とイヤホン部が、各斜面と各縦軸との間で３０度〜４５度の角度を成す。
【０００９】
本考案に係るブルートゥースイヤーセットでは、接続装置が、回転角の範囲の両端に内蔵の位置限定または角度限定機構を設けられる。
【００１０】
本考案に係るブルートゥースイヤーセットでは、ブルートゥースイヤーセットにクランプが装着される。
【００１１】
本考案に係るブルートゥースイヤーセットでは、クランプを開閉するための回転軸が本体部の下端近傍の位置に配置され、クランプのクランプ口端部がイヤホン部近傍の位置に配置される。
【００１２】
本考案に係るブルートゥースイヤーセットでは、クランプを開閉するための回転軸が本体部の上端近傍の位置に配置され、クランプのクランプ口端部がイヤホン部から離れた位置に配置される。
【００１３】
本考案に係るブルートゥースイヤーセットでは、中空穴がクランプのクランプ面に設けられる。
【００１４】
本考案に係るブルートゥースイヤーセットでは、クランプが中空フレーム状である。
【００１５】
本考案に係るブルートゥースイヤーセットでは、クランプがグリッド状である。
【００１６】
本考案に係るブルートゥースイヤーセットでは、本体部に、有線で外部情報を受信し記憶するフラグポートが装着される。
【００１７】
本考案に係るブルートゥースイヤーセットでは、本体部に対して少なくとも９０度の角度でイヤホン部を回転させることができる。
【００１８】
本考案に係るブルートゥースイヤーセットでは、接続装置に回転軸が設けられる。
【００１９】
本考案に係るブルートゥースイヤーセットでは、接続装置にノブが設けられる。
【００２０】
本考案に係るブルートゥースイヤーセットでは、接続装置に、回転角の範囲内でいくつかの溝止め部が設けられる。
【００２１】
本考案に係るブルートゥースイヤーセットでは、接続装置に、正確に加工および嵌合される構造が設けられる。
【考案の効果】
【００２２】
本考案のブルートゥースイヤーセットは以下の利点を備える。（１）イヤホンの向きを回転させることができる。イヤーセットの本体の方向と合致するようにイヤホンの向きを回転させると、イヤーセットは横方向の寸法が小さい長い棒状となり、製品のパッケージの体積を減少させ、製造および管理のコストを低減させることができる。また、イヤーセットを収納し易く、ポケットや財布の中に入れることができる。通話の際には、イヤホンを回転させて、イヤーセットの本体に対して約９０度の角度を形成し、ユーザの耳内に保持されるように調整することができる。さらに、通話の際に会話がし易いように、耳内に保持するのに適した角度までイヤホンを回転させることができる。（２）イヤーセットにはクランプを装着することができる。使用しないときには、イヤーセットは便利かつ見つけやすい位置で固定させておくことができる。イヤーセットを使おうとする際、イヤーセットがあちこちに置かれて素早く見つけにくくなるのを防ぎ、いつでもイヤーセットを見つけることができる。
【図面の簡単な説明】
【００２３】
【図１】図１（ａ）〜１（ｅ）は、本考案の実施例１に係る、クランプが装着されていないブルートゥースイヤーセットを示す概略図であり、図１（ａ）はブルートゥースイヤーセットの収容状態を示す内面図であり、図１（ｂ）はブルートゥースイヤーセットの収容状態を示す側面図であり、図１（ｃ）はブルートゥースイヤーセットの使用状態を示す側面図であり、図１（ｄ）はブルートゥースイヤーセットの使用状態を示す外面図であり、図１（ｅ）はブルートゥースイヤーセットの収容状態を示す透視図である。
【図２】図２（ａ）および２（ｂ）は、本考案の実施例１に係るブルートゥースイヤーセットに装着されるクランプを示す概略図であり、図２（ａ）はクランプの内面図であり、図２（ｂ）はクランプの側面図である。
【図３】図３（ａ）〜３（ｇ）は、本考案の実施例１に係る、クランプが装着されたブルートゥースイヤーセットを示す概略図であり、図３（ａ）はクランプが装着されたブルートゥースイヤーセットの収容状態を示す内面図であり、図３（ｂ）は図３（ａ）に示すブルートゥースイヤーセットの部分拡大図であり、図３（ｃ）はクランプが装着されたブルートゥースイヤーセットの使用状態を示す側面図であり、図３（ｄ）はクランプが装着されたブルートゥースイヤーセットの収容状態を示す側面図であり、図３（ｅ）はクランプが装着されたブルートゥースイヤーセットの収容状態を示す外面図であり、図３（ｆ）はクランプが装着されたブルートゥースイヤーセットの収容状態を示す透視図であり、図３（ｇ）はクランプが装着されたブルートゥースイヤーセットの使用状態を示す透視図である。
【図４】図４（ａ）〜４（ｇ）は、本考案の実施例２に係る、斜面を有するブルートゥースイヤーセットを示す概略図であり、図４（ａ）は斜面を有するブルートゥースイヤーセットの収容状態を示す外面図であり、図４（ｂ）は斜面を有するブルートゥースイヤーセットの収容状態を示す側面図であり、図４（ｃ）は斜面を有するブルートゥースイヤーセットの収容状態を示す側面図であり、図４（ｄ）は斜面を有するブルートゥースイヤーセットの使用状態を示す側面図であり、図４（ｅ）は斜面を有するブルートゥースイヤーセットの収容状態を示す透視図であり、図４（ｆ）は斜面を有するブルートゥースイヤーセットの使用状態を示す透視図であり、図４（ｇ）は斜面を有するブルートゥースイヤーセットの収容状態を示す透視図である。
【図５】図５（ａ）〜５（ｃ）は本考案の実施例３に係るブルートゥースイヤーセットの使用中の状態を示し、図５（ａ）は本考案の実施例３に係るブルートゥースイヤーセットの外面図であり、図５（ｂ）は図５（ａ）に示すブルートゥースイヤーセットの側面図であり、図５（ｃ）はクランプの概略図である。
【図６】図６（ａ）および６（ｂ）本考案の実施例３に係るブルートゥースイヤーセットの使用中の状態を示し、図６（ａ）は本考案の実施例３に係るブルートゥースイヤーセットの外面図であり、図６（ｂ）は実施例３に係るブルートゥースイヤーセットの側面図である。
【考案を実施するための形態】
【００２４】
本考案の例示の実施例を添付の図面を参照して説明する。
＜実施例１＞
【００２５】
本考案の実施例１に係る、クランプが装着されていないブルートゥースイヤーセットを図１（ａ）〜１（ｅ）を参照して説明する。
【００２６】
図１（ａ）は、クランプが装着されていないブルートゥースイヤーセットの収容状態を示す内面図である。図１（ａ）では、参照符号２は、本考案の実施例１に係る、クランプが装着されていないブルートゥースイヤーセットを示す。同図は、本体部３の「内面」、すなわち、使用中にユーザの耳および頬に密着し続ける面を示す。参照符号４は、本体３の上部に配置されたＹ字状フレームの２つのＹ字状アーム７に囲まれる空間９内に収容されるイヤホン部を示す。回転軸はイヤホン部４の基部（イヤホンヘッド１０から離れた端部）に設けられ、この回転軸がＹ字状アーム７の両端に配置される軸受け穴内で回転させられる。同図の参照符号６は、クランプが装着される際にクランプを支持するために使用されるクランプ軸を示す。参照符号８は、本体部３の下端を示す。
【００２７】
図１（ｂ）は、図１（ａ）に示すブルートゥースイヤーセットの右側面図である。参照符号１１は、本体部３の外面（使用中にユーザの耳および頬に密着していない面）に設けられるスイッチボタンを示す。参照符号１２は、音量ボタン（図示しないもう１つの音量ボタンが音量ボタン１２の面の反対面に設けられる。２つのボタンのうち一方が音量を上げるために用いられ、他方が音量を下げるために用いられる）を示す。参照符号１３は、ブルートゥースイヤーセットを充電するソケットを示す。同図の他の参照符号はそれぞれ、先の図と同じ部分を示す。点線と参照符号１０は、イヤホン部４が、ブルートゥースイヤーセットが２つのＹ字状アーム７によって囲まれる空間９内で収容状態にあるときの位置まで回転させられていることを示す。
【００２８】
図１（ｃ）は、イヤホン部４が２つのＹ字状アーム７によって囲まれる空間９から外に回転させられ、ブルートゥースイヤーセットが使用状態になってすぐのブルートゥースイヤーセットの使用状態を示す側面図である。イヤホン部４の軸と本体部３の軸が角度Ａを形成し、角度Ａ近傍のアーチ形矢印は回転動作の方向を示す。同図の他の参照符号はそれぞれ、上記と同じ部分を示す。角度Ａに関しては、通常、６０度〜９０度の範囲である。イヤホンヘッド１０が耳の穴に挿入されるときに、本体部３がユーザの耳と頬に快適に密着され続けるように、ユーザは最も便利で快適な角度を選択することができる。
【００２９】
図１（ｄ）は、図１（ａ）に示すブルートゥースイヤーセットの外面を示す。上述したように、参照符号１１はブルートゥースイヤーセット２のスイッチボタンを示す。
【００３０】
図１（ａ）〜１（ｄ）に関連して、２つのＹ字状アーム７を有するＹ字状フレームがブルートゥースイヤーセット２の本体部３の上部に設けられ、回転軸がイヤホン部４の２側面でＹ字状アーム７の軸受け穴（図示せず）を通過することが見て取れる。実際の製造では、位置限定（または角度限定）機構（図示せず）が、イヤホン部４の回転角の範囲の両端に設けられる。一方、多数の溝突出止め具を、回転角を一定に保つように回転角の範囲全体において任意のいずれかの溝突出止め具でイヤホン部４を停止させ、それによってイヤホン部４を位置決めするように、回転の中途に設けることができる。再度押すことで、同様にして、次の溝突出止め具および残りの溝突出止め具までイヤホン部４を回転するように押すことができる。溝突出止め具の数は、最も適切な角度Ａを選択できるように２つから数十までとすることができる（図示せず）。
【００３１】
図１（ｅ）は、実施例の追加の解決策を示す。参照符号２１は、本体の下端８に装着され、有線で外部情報を受信し記憶するために使用されるＵＳＢプラグポートを示す。
【００３２】
ブルートゥースイヤーセット２に装着されるクランプ３１を、図２（ａ）および２（ｂ）を参照して以下説明する。
【００３３】
図２（ａ）は、ブルートゥースイヤーセット２に装着されるクランプ３１の内面を示す。参照符号３３は、本体部３のスイッチボタン１１に嵌合されるように設けられる中空の穴を示し、その穴を通ってユーザはスイッチボタン１１を押すことができる。参照符号３５は、クランプ３１を本体部３に装着するために使用される軸受け穴を示す。参照符号３６は、クランプ３１を開けるために押されるクランプ３１の押圧部を示す。参照符号３７は、クランプのクランプ口端部を示す。参照符号３４は、イヤホン部４の回転用に予備空間を残しておくための切欠きを示す。
【００３４】
図２（ｂ）は、図２（ａ）に示すクランプの側面図であり、同図内の参照符号はそれぞれ上記と同じ部分を示す。
【００３５】
本考案の実施例１に係る、クランプ３１を装着されたブルートゥースイヤーセットを図３（ａ）〜３（ｇ）を参照して以下説明する。
【００３６】
図３（ａ）は、図１（ａ）に示すブルートゥースイヤーセット２と図２（ａ）に示すクランプ３１が一緒に装着されることを示す概略図である。参照符号１は、クランプ３１を装着されたブルートゥースイヤーセットを示す。同図内のその他の参照符号はそれぞれ上記と同じ部分を示す。
【００３７】
図３（ｂ）は、図３（ａ）に示すブルートゥースイヤーセットの部分拡大図である。ブルートゥースイヤーセット２のクランプ軸６がクランプ３１の軸受け穴３５内に貫入され、クランプ３１が支持される。参照符号１４は、バネ（図示せず）を搭載することのできる場所を示す。
【００３８】
図３（ｃ）は、クランプ３１を有するブルートゥースイヤーセット１の側面図であって、このとき、ブルートゥースイヤーセット１は通話（使用）状態にある。この状態で、イヤホン部４は、収容位置から２つのＹ字状アーム７によって囲まれる空間９の外へと回転させられており、通話のためにユーザの耳にイヤホンヘッド１０を挿入することができる。同図内の他の参照符号はそれぞれ上記と同じ部分を示す。
【００３９】
図３（ｄ）は、使用されておらず、収容されようとしているブルートゥースイヤーセット１の状態を示す。同図において、イヤホン部４は収容位置、すなわち、２つのＹ字状アーム７によって囲まれる空間９内まで回転させられている。本体部３の下端８とクランプ３１の押圧部３６は（反対方向の２つの矢印によって示されるように）２つの指によって押され、その後、クランプ３１のクランプ口端部３７が（アーチ形の矢印によって示されるように）開放されて、ブルートゥースイヤーセット１を適当な位置に収容することができる。同図内の他の参照符号はそれぞれ上記と同じ部分を示す。
【００４０】
図３（ｃ）および３（ｄ）に示すように、本体部３のクランプ軸６は本体部３の下端の近傍位置に配置され、クランプ３１のクランプ口端部３７はイヤホン部４近傍の位置に配置される。
【００４１】
図３（ｅ）は、図３（ａ）に示すブルートゥースイヤーセットの別の面を示す。クランプ３１の中空穴３３がスイッチボタン１１の適切な位置を提供するので、ボタンを都合よく操作することができる。同図内の他の参照符号はそれぞれ上記と同じ部分を示す。
【００４２】
図３（ｆ）および３（ｇ）はクランプ３１を有するブルートゥースイヤーセット１の透視図であり、ブルートゥースイヤーセット１の収容状態および使用状態をそれぞれさらに示す。
＜実施例２＞
【００４３】
本考案の実施例２に係る、クランプを装着したブルートゥースイヤーセットを図４（ａ）〜４（ｇ）を参照して以下説明する。
【００４４】
図４（ａ）では、参照符号１’はクランプを装着したブルートゥースイヤーセットを示し、符号４’はイヤホン部を示し、符号１０’はイヤホンヘッドを示し、符号３１’はクランプを示し、符号６’はクランプ軸を示し、符号３６’はクランプの押圧部を示し、符号１１’はブルートゥースイヤーセットのスイッチボタンを示し、符号３３’はスイッチボタン１１’用にクランプの表面に設けられた中空穴を示す。
【００４５】
図４（ｂ）は、図４（ａ）の左側面図である。参照符号３’は本体部を示し、符号１２’は音量ボタンを示し、符号１３’はブルートゥースイヤーセットを充電するためのソケットを示し、符号８’は本体部３’の下端を示し、符号３５’はクランプ軸６’を通過させる軸受け穴を示す。参照符号１８は本体部３’の上端に形成される斜面を示し、参照符号１８’はイヤホン４’の下端に形成される斜面を示す。これらの２つの斜面はそれぞれ、符号Ｂによって示される同じ角度で縦軸から偏向し、適切な角度Ｂの範囲は３０度〜４５度である。２つの斜面１８および１８’は（図示するように）互いに密着されており、イヤホン部４’が本体部３’に対して回転可能である回転面を構成する。イヤホン部４’と本体部３’との接続装置は、一方の斜面上にある回転軸と、他方の斜面にあり回転軸に対応する軸保持腔（回転軸と軸保持腔はどちらも図示せず）とを含む。図４（ｂ）に示すイヤホン４’は収容位置にあり、イヤホン部４’の縦軸と本体部３’の縦軸とは直線で合致する。イヤホン部４’が同図の左上のアーチ形矢印によって示される方向に１８０度回転させられた場合、イヤホン部４’の縦軸と本体部３’の縦軸は、図４（ｄ）に示すように約９０度の角度を成す。角度Ｂが４５度のとき、２つの縦軸の角度は９０度である。角度Ｂが３０度のとき、２つの縦軸の角度は６０度である。２つの縦軸の角度は、同様にして角度Ｂを参照して推定することができる。製造時、２つの縦軸の角度がユーザを快適にするように角度Ｂの大きさが選択される。位置限定（または角度限定）機構（図示せず）が、斜面１８と１８’によって構成される回転面の回転可能範囲（１８０度）の両端に設けられる。同図内の他の参照符号はそれぞれ上記と同じ部分を示す。
【００４６】
図４（ｃ）は、斜面を有するブルートゥースイヤーセットの収容状態を示す側面図である。互いに反対方向の２つの矢印によって示されるように、本体部３’の下端８’とクランプ３１’の押圧部３６’は、図内のアーチ形矢印によって示されるように２つの指によって押されて、その後、クランプ３１’のクランプ口端部３７’が開放されて、収容状態のブルートゥースイヤーセット１’を適切な場所で固定させることができる。
【００４７】
図４（ｄ）は、通話（使用）状態を示す。図で示される状態は、図４（ｂ）に示すイヤホン部４’を斜面１８と１８’によって構成される回転面で１８０度回転させることによって達成され、その後イヤホンヘッド１０’を、ユーザが使用のため耳に挿入することができる。イヤホン部４’を収容状態へと回転させる必要がある場合、図の上部のアーチ形矢印の方向にイヤホン部４’を１８０度回転させて、図４（ｂ）または４（ｃ）に示す状態に復元させることができる。
【００４８】
図４（ｃ）および４（ｄ）に示すように、本体部３’のクランプ軸６’は本体部３’の下端近傍に配置され、クランプ３１’のクランプ口端部３７’はイヤホン部４’近傍の位置に配置される。
【００４９】
図４（ｅ）および４（ｆ）は、ブルートゥースイヤーセット１’の収容状態と使用状態をそれぞれさらに示す透視図である。
【００５０】
実施例１と同様、実施例２では、図４（ｇ）に示すように、有線で外部情報を受信し記憶するプラグポート（ＵＳＢプラグポート）２１’が、本体部３’の下端８’に設けられる。
【００５１】
実施例１では、ブルートゥースイヤーセットの外形が平坦であることが好ましく、特定の構造を採れるように、ブルートゥースイヤーセットのイヤホン部がブルートゥースイヤーセットの断面（略矩形）の長辺で内外に回転させられる。実施例２では、ブルートゥースイヤーセットの中心軸を中心にイヤホン部を回転させ易いように、ブルートゥースイヤーセットの断面が略正方形であることが好ましい。当然ながら、その正方形は、４隅が丸みを帯び、あるいはほぼ円形である正方形と置き換えることも可能である。
＜実施例３＞
【００５２】
本考案の実施例３に係るブルートゥースイヤーセットを図５（ａ）〜５（ｃ）および図６（ａ）および６（ｂ）を参照して以下説明する。
【００５３】
図５（ａ）は、本考案の実施例３に係るブルートゥースイヤーセット３０１の外面図（耳に密着していない面）である。参照符号３０２は内蔵マイクロホンを有する本体部を示し、符号３０３はイヤホン部を示し、符号３１６は接続装置を示し、符号３０４はクランプを示し（クランプ３０４は省略することもできる）、符号３０５はクランプ３０４の手で押される部分を示し、符号３０６はバネ（図示せず）が装着されるクランプ３０４の軸ピンを示す。参照符号３１１はスイッチボタンを示し、符号３１２は表示ランプを示し、符号３１３は音量ボタンを示す。
【００５４】
図５（ｂ）は図５（ａ）の側面図である。イヤホン部３０３と本体部３０２は共通に使用される角度である約９０度の角度を成すことが同図から見て取れる（回転角は０度〜３００度の範囲としてよい、図示せず）。イヤホン部３０３近傍の矢印は、イヤホンを回転させられる方向を示す。イヤホンを回転させる機能を実現するため、回転角を製造時にできる限り大きくすべきであり、イヤホンが少なくとも９０度回転できるように確保すべきである。簡便な利用のため、製造時（たとえば、プラスチック材が成形される際）に接続装置３１６内に多数の溝突出止め具を作製することができる。よって、回転角の全範囲において、回転角を一定に保つようにイヤホン部３０３を任意のいずれかの溝突出止め具で停止させることができ、再度押される際、同様にして次の溝突出止め具および残りの溝突出止め具までイヤホン部３０３を回転させることができる。溝突出止め具の数は、２〜数十とすることができる（図示せず）。接続装置３１６には回転軸（図示せず）を設けることもできる。よって、回転角の全範囲において、回転角を一定に保つようにイヤホン部３０３を任意のいずれかの角度で停止させることができ、再度押される際、同様にして次の角度および残りの角度までイヤホン部３０３を回転させることができる。接続装置３１６にはノブを設けることもできる。したがって、回転角を一定に保つようにイヤホン部３０３を任意の角度で停止させることができ、再度押される際、同様にして次の角度および残りの角度までイヤホン部３０３を回転させることができる（図示せず）。接続装置３１６には、回転角の範囲内で、内蔵の位置限定（または角度限定）機構（図示せず）を設けることができる。よって、回転角を一定に保つようにイヤホン部３０３を任意の角度で停止させることができ、再度押される際、同様にして次の角度および残りの角度までイヤホン部３０３を回転させることができる（図示せず）。接続装置３１６には、回転角の範囲内で、いくつかの溝止め具（図示せず）も設けることができ、そのいくつかの溝止め具は２〜数十であってもよい。よって、回転角を一定に保つようにイヤホン部３０３を任意の角度で停止させることができ、再度押される際、同様にして次の角度および残りの角度までイヤホン部３０３を回転させることができる。接続装置３１６には、回転角の範囲内で、正確に加工および嵌合され、摩擦力による回転および位置決めを実現する構造（図示せず）を設けることもでき、摩擦剤をたとえば摩擦面に貼付することができる。よって、回転角を一定に保つようにイヤホン部３０３を任意の角度で停止させることができ、再度押される際、同様にして次の角度および残りの角度までイヤホン部３０３を回転させることができる。
【００５５】
図５（ｂ）はクランプ３０４とクランプの押圧部３０５の側面を示し、点線で示すクランプ３０４’と押圧部３０５’は、クランプが３０５’の位置で手で押され、３０４’の位置で開放される様子を示す。図５（ｂ）に示すように、クランプ３０４の軸ピン３０６は本体部３０２の上端近傍の位置に配置され、クランプ３０４のクランプ口端部はイヤホン部３０３から離れた位置に配置される。参照符号３０４、３０４’と３０５、３０５’近傍の双方向アーチ形矢印は、クランプが開閉される方向と手で押される方向をそれぞれ示す。参照符号３１４は、内蔵マイクロホン用に設けられた開口部を示す。参照符号３１５は、ブルートゥースイヤーセットを充電するために設けられたソケットを示す。同図内の他の参照符号はそれぞれ上記と同じ部分を示す。
【００５６】
図５（ｃ）は、クランプ３０４と押圧部３０５とを個々に示す概略図である。クランプ３０４が中空のフレーム状であることが同図から見て取れる。クランプ３０４はフレーム状であるため、スイッチボタン３１１や表示ランプ３１２を覆わない。フレーム形状は同図に示される形状に限定されず、ブルートゥースイヤーセット３０１に適した形状であるべきである。本体部３０２に装着されるクランプ３０４は、グリッド状または従来の形状（図示せず）としてもよい。
【００５７】
図６（ａ）および６（ｂ）は、図５（ａ）および５（ｂ）に示すイヤホン部３０３が、本体部３０２と略同一の方向に本体部３０２の上で回転させられていることを示す。この場合、ブルートゥースイヤーセット３０１は収容状態にある。同図内の他の参照符号はそれぞれ上記と同じ部分を示す。
【００５８】
本考案の例示の実施例を図面を参照して詳細に説明したが、本考案は上記の具体的な実施例に限定されない。当業者にとっては、本考案の精神と範囲を逸脱せずに、本考案に様々な変更や修正を加えることは自明である。本考案の範囲は、以下の請求項およびその同等のものによって定義される。
【符号の説明】
【００５９】
１、１’  
２  ブルートゥースイヤーセット
３、３’  本体部
４、４’  イヤホン部
６、６’  クランプ軸
７  Ｙ字状アーム
８、８’下端
９  空間
１０、１０’  イヤホンヘッド
１１、１１’  スイッチボタン
１２、１２’  音量ボタン
１３、１３’  ソケット
１８、１８’  斜面
２１、２１’  プラグポート
３１、３１’  クランプ
３３、３３’  中空穴
３４  切欠き
３５、３５’  軸受け穴
３６、３６’  押圧部
３７、３７’  クランプ口端部
３０１  ブルートゥースイヤーセット
３０２  本体
３０３  イヤホン
３０４、３０４’  クランプ
３０５、３０５’  押圧部
３０６  軸ピン
３１１  スイッチボタン
３１２  表示ランプ
３１３  音量ボタン
３１４  開口部
３１５  ソケット
３１６  接続装置
【図１】
0003163189.tif 000003
【図２】
0003163189.tif 000004
【図３】
0003163189.tif 000005
【図４】
0003163189.tif 000006
【図５】
0003163189.tif 000007
【図６】
0003163189.tif 000008
【手続補正書】
【提出日】平成21年12月10日(2009.12.10)
【手続補正１】
【補正対象書類名】明細書
【補正対象項目名】全文
【補正方法】変更
【補正の内容】
【考案の詳細な説明】
【技術分野】
【０００１】
本考案は、携帯電話とともに動作可能に使用することのできるブルートゥースイヤーセットに関する。
【背景技術】
【０００２】
従来技術のブルートゥースイヤーセットは、ユーザの使い勝手の点で理想的ではない。たとえば、第１に、イヤホンの向きを回転できないこと、第２に、ブルートゥースイヤーセットにクランプが装着されないため、未使用のときにイヤーセットを簡便かつ容易に利用可能な位置に締め付けることができず、設計を改善する必要があることである。
【考案の概要】
【考案が解決しようとする課題】
【０００３】
本考案の目的は、上記の欠点を克服することのできる改良型ブルートゥースイヤーセットを提供することである。
【課題を解決するための手段】
【０００４】
本考案に係るブルートゥースイヤーセットは、内蔵マイクロホンを有する本体部と、本体部に装着されるイヤホン部と、本体部とイヤホン部とを接続する接続装置とを備え、イヤホン部が接続装置によって本体部上に保持され、接続装置が、本体部に対して収容状態と使用状態との間でイヤホン部を回転または捻回させることによって、イヤホン部の状態を変更する回転または捻回機構を有することを特徴とする。
【０００５】
本考案に係るブルートゥースイヤーセットでは、Ｙ字状フレームが本体部の上端に設けられ、収容状態でイヤホンを収納する空間がＹ字状フレームの２つのＹ字状アーム間に設けられ、接続装置がＹ字状アームの端部の軸受け穴とイヤホン部の回転軸とによって構成され、イヤホン部の回転軸が本体部の縦軸に直交し、イヤホン部の縦軸が本体部の縦軸と平行である、あるいは合致し、イヤホン部が空間内に配置される収容状態から、２つの縦軸が約９０°の角度を形成する使用状態へと回転軸を中心にイヤホン部を回転させることができる。
【０００６】
本考案に係るブルートゥースイヤーセットでは、Ｙ字状フレームが前記本体部の上端に設けられ、前記接続装置が、Ｙ字状アームの端部の軸保持腔と、前記イヤホン部の回転軸とによって構成され、前記イヤホン部の回転軸が前記本体部の縦軸に直交しており、イヤホン部の縦軸が本体部の上方に延びる本体部の縦軸の部分と平行である、あるいは合致する収容状態から、前記２つの縦軸が約９０度の角度を形成する使用状態へと前記イヤホン部を回転させることができる。
【０００７】
本考案に係るブルートゥースイヤーセットでは、斜面が本体部の上端に形成され、同一の傾斜を有する別の斜面がイヤホン部の下端に形成され、２つの斜面が収容状態において互いに接触しているときに本体部の縦軸とイヤホン部の縦軸とが直線で合致し、接続装置が、一方の斜面上にある捻回軸と、他方の斜面にあり、前記捻回軸と対応して嵌合される軸保持腔と、それぞれ２つの斜面上にあり、互いに嵌合する電気的に接触する導体とによって構成され、２つの縦軸が直線で合致する収容状態から２つの縦軸が約９０度の角度を成す使用状態まで捻回軸を中心にイヤホン部を約１８０度捻回させることができるように、互いに接触させたまま２つの斜面を捻回させることができる。
【０００８】
本考案に係るブルートゥースイヤーセットでは、本体部の斜面とイヤホン部の斜面が、各斜面の縦軸の間で３０度〜４５度の角度を成す。
【０００９】
本考案に係るブルートゥースイヤーセットでは、接続装置には、回転角または捻回角の範囲の両端に内蔵の位置限定または角度限定機構が設けられ、途中で停止することのできるいくつかの溝突出止め具も回転または捻回角の範囲に設けることができる。
【００１０】
本考案に係るブルートゥースイヤーセットでは、接続装置には、回転角または捻回角の範囲に、正確に加工および嵌合される構造が設けられる。
【００１１】
本考案に係るブルートゥースイヤーセットでは、摩擦作用を補助するため、摩擦剤が接続装置の構造の摩擦面に貼付される。
【００１２】
本考案に係るブルートゥースイヤーセットでは、ブルートゥースイヤーセットにクランプが装着される。
【００１３】
本考案に係るブルートゥースイヤーセットでは、クランプを開閉するための回転軸が本体部の下端近傍の位置に配置され、クランプのクランプ口端部がイヤホン部近傍の位置に配置される、あるいは、クランプを開閉する回転軸がイヤホン部近傍の位置に配置され、クランプのクランプ口端部が本体部の下端近傍の位置に配置される。
【００１４】
本考案に係るブルートゥースイヤーセットでは、中空穴がクランプのクランプ面に設けられている、あるいは、クランプ面が中空フレーム状である、あるいはクランプ面がグリッド状である。
【００１５】
本考案に係るブルートゥースイヤーセットでは、クランプがペンクリップ状またはボールペンクリップ状のクランプであり、クランプの固定端が本体部の上端または下端に配置される。
【００１６】
本考案に係るブルートゥースイヤーセットでは、本体部に、有線で情報を受信および／または送信するプラグポートも装着される。
【００１７】
本考案に係るブルートゥースイヤーセットでは、ブルートゥースイヤーセットによって受信される音楽情報を演奏するステレオイヤホンにプラグポートを接続することができる。
【考案の効果】
【００１８】
本考案のブルートゥースイヤーセットは以下の利点を備える。（１）イヤホンの向きを回転あるいは捻回させることができる。イヤーセットの本体の方向と合致するようにイヤホンの向きを回転あるいは捻回させると、イヤーセットは横方向の寸法が小さい長い棒状となり、製品のパッケージの体積を減少させ、製造輸送、保管、販売のコストを低減させることができる。また、イヤーセットを収納し易く、ポケットや財布の中に入れることができる。通話の際には、イヤホンを回転あるいは捻回させて、イヤーセットの本体に対して約９０度の角度を形成し、ユーザの耳内に保持されるように調整することができる。さらに、通話の際に会話がし易いように、耳内に保持するのに適した角度までイヤホンを回転させることができる。（２）イヤーセットにはクランプを装着することができる。使用しないときには、イヤーセットは便利かつ見つけやすい位置で固定させておくことができる。イヤーセットを使おうとする際、イヤーセットがあちこちに置かれて素早く見つけにくくなるのを防ぎ、いつでもイヤーセットを見つけることができる。
【図面の簡単な説明】
【００１９】
【図１】図１（ａ）〜１（ｅ）は、本考案の実施例１に係る、クランプが装着されていないブルートゥースイヤーセットを示す概略図であり、図１（ａ）はブルートゥースイヤーセットの収容状態を示す内面図であり、図１（ｂ）はブルートゥースイヤーセットの収容状態を示す側面図であり、図１（ｃ）はブルートゥースイヤーセットの使用状態を示す側面図であり、図１（ｄ）はブルートゥースイヤーセットの使用状態を示す外面図であり、図１（ｅ）はブルートゥースイヤーセットの収容状態を示す透視図である。
【図２】図２（ａ）および２（ｂ）は、本考案の実施例１に係るブルートゥースイヤーセットに装着されるクランプを示す概略図であり、図２（ａ）はクランプの内面図であり、図２（ｂ）はクランプの側面図である。
【図３】図３（ａ）〜３（ｇ）は、本考案の実施例１に係る、クランプが装着されたブルートゥースイヤーセットを示す概略図であり、図３（ａ）はクランプが装着されたブルートゥースイヤーセットの収容状態を示す内面図であり、図３（ｂ）は図３（ａ）に示すブルートゥースイヤーセットの部分拡大図であり、図３（ｃ）はクランプが装着されたブルートゥースイヤーセットの使用状態を示す側面図であり、図３（ｄ）はクランプが装着されたブルートゥースイヤーセットの収容状態を示す側面図であり、図３（ｅ）はクランプが装着されたブルートゥースイヤーセットの収容状態を示す外面図であり、図３（ｆ）はクランプが装着されたブルートゥースイヤーセットの収容状態を示す透視図であり、図３（ｇ）はクランプが装着されたブルートゥースイヤーセットの使用状態を示す透視図である。
【図４】図４（ａ）〜４（ｇ）は、本考案の実施例２に係る、斜面を有するブルートゥースイヤーセットを示す概略図であり、図４（ａ）は斜面を有するブルートゥースイヤーセットの収容状態を示す外面図であり、図４（ｂ）は斜面を有するブルートゥースイヤーセットの収容状態を示す側面図であり、図４（ｃ）は斜面を有するブルートゥースイヤーセットの収容状態を示す側面図であり、図４（ｄ）は斜面を有するブルートゥースイヤーセットの使用状態を示す側面図であり、図４（ｅ）は斜面を有するブルートゥースイヤーセットの収容状態を示す透視図であり、図４（ｆ）は斜面を有するブルートゥースイヤーセットの使用状態を示す透視図であり、図４（ｇ）は斜面を有するブルートゥースイヤーセットの収容状態を示す透視図である。
【図５】図５（ａ）〜５（ｃ）は本考案の実施例３に係るブルートゥースイヤーセットの使用中の状態を示し、図５（ａ）は本考案の実施例３に係るブルートゥースイヤーセットの外面図であり、図５（ｂ）は図５（ａ）に示すブルートゥースイヤーセットの側面図であり、図５（ｃ）はクランプの概略図である。
【図６】図６（ａ）および６（ｂ）本考案の実施例３に係るブルートゥースイヤーセットの使用中の状態を示し、図６（ａ）は本考案の実施例３に係るブルートゥースイヤーセットの外面図であり、図６（ｂ）は実施例３に係るブルートゥースイヤーセットの側面図である。
【考案を実施するための形態】
【００２０】
本考案の例示の実施例を添付の図面を参照して説明する。
＜実施例１＞
【００２１】
本考案の実施例１に係る、固定クランプが装着されていないブルートゥースイヤーセットを図１（ａ）〜１（ｅ）を参照して説明する。
【００２２】
図１（ａ）は、クランプが装着されていないブルートゥースイヤーセットの収容状態を示す内面図である。図１（ａ）では、参照符号２は、本考案の実施例１に係る、クランプが装着されていないブルートゥースイヤーセットを示す。同図は、本体部３の「内面」、すなわち、使用中にユーザの耳および頬に密着し続ける面を示す。参照符号４は、本体３の上部に配置されたＹ字状フレームの２つのＹ字状アーム７に囲まれる空間９内に収容されるイヤホン部を示す。回転軸はイヤホン部４の基部（イヤホンヘッド１０から離れた端部）に設けられ、この回転軸がＹ字状アーム７の両端に配置される軸受け穴内で回転させられ、回転軸の向きが本体部３の縦軸に直交している。同図の参照符号６は、クランプが装着される際にクランプを支持するために使用されるクランプ軸を示す。参照符号８は、本体部３の下端を示す。
【００２３】
図１（ｂ）は、図１（ａ）に示すブルートゥースイヤーセットの右側面図である。参照符号１１は、本体部３の外面（使用中にユーザの耳および頬に密着していない面）に設けられるスイッチボタンを示す。参照符号１２は音量ボタンを示し、図示しないもう１つの音量ボタンが音量ボタン１２の面の反対面に設けられる。２つのボタンのうち一方が音量を上げるために用いられ、他方が音量を下げるために用いられる。参照符号１３は、ブルートゥースイヤーセットを充電するソケットを示す（本明細書に記載の機能ボタンおよびソケットは単に例として挙げたものであり、具体的な設計は変更してよい）。同図の他の参照符号はそれぞれ、先の図と同じ部分を示す。点線と参照符号１０は、イヤホン部４が、ブルートゥースイヤーセットが２つのＹ字状アーム７によって囲まれる空間９内で収容状態にあるときの位置まで回転させられていることを示す。
【００２４】
図１（ｃ）は、イヤホン部４が２つのＹ字状アーム７によって囲まれる空間９から外に回転させられ、ブルートゥースイヤーセットが使用状態になってすぐのブルートゥースイヤーセットの使用状態を示す側面図である。イヤホン部４の軸と本体部３の軸が角度Ａを形成し、角度Ａ近傍のアーチ形矢印は回転動作の方向を示す。同図の他の参照符号はそれぞれ、上記と同じ部分を示す。角度Ａに関しては、通常、６０度〜９０度の範囲である。イヤホンヘッド１０が耳の穴に挿入されるときに、本体部３がユーザの耳と頬に快適に密着され続けるように、ユーザは最も便利で快適な角度を選択することができる。
【００２５】
図１（ｄ）は、図１（ａ）に示すブルートゥースイヤーセットの外面を示す。上述したように、参照符号１１はブルートゥースイヤーセット２のスイッチボタンを示す。
【００２６】
図１（ａ）〜１（ｄ）に関連して、２つのＹ字状アーム７を有するＹ字状フレームがブルートゥースイヤーセット２の本体部３の上部に設けられ、回転軸がイヤホン部４の２側面でＹ字状アーム７の軸受け穴（図示せず）を通過することが見て取れる。こうして、接続装置を構成することができる。実際の製造では、位置限定（または角度限定）機構（図示せず）が、イヤホン部４の回転角の範囲の両端に設けられる。一方、多数の溝突出止め具を、回転角を一定に保つように回転角の範囲全体において任意のいずれかの溝突出止め具でイヤホン部４を停止させ、それによってイヤホン部４を位置決めするように、回転の中途に設けることができる。再度押すことで、同様にして、次の溝突出止め具および残りの溝突出止め具までイヤホン部４を回転するように押すことができる。溝突出止め具の数は、最も適切な角度Ａを選択できるように２つから数十までとすることができる（図示せず）。
【００２７】
図１（ｅ）は、実施例の追加の解決策を示す。ブルートゥースイヤーセット２‘は、本体の下端８に装着され、有線で情報を受信および／または送信するように、たとえば、ブルートゥースイヤーセットによって受信される音楽情報を演奏するステレオイヤホン（図示せず）に接続されるように使用されるＵＳＢ凹状ポート２１（または図示されない別の種類のプラグポート）を有する。
【００２８】
ブルートゥースイヤーセット２に装着されるクランプ３１を、図２（ａ）および２（ｂ）を参照して以下説明する。
【００２９】
図２（ａ）は、ブルートゥースイヤーセット２に装着されるクランプ３１の内面を示す。参照符号３３は、本体部３のスイッチボタン１１に嵌合されるように設けられる中空の穴を示し、その穴を通ってユーザはスイッチボタン１１を押すことができる。参照符号３５は、クランプ３１を本体部３に装着するために使用される軸受け穴を示す。参照符号３６は、クランプ３１を開けるために押されるクランプ３１の押圧部を示す。参照符号３７は、クランプのクランプ口端部を示す。参照符号３４は、イヤホン部４の回転用に予備空間を残しておくための切欠きを示す。
【００３０】
図２（ｂ）は、図２（ａ）に示すクランプの側面図であり、同図内の参照符号はそれぞれ上記と同じ部分を示す。
【００３１】
本考案の実施例１に係る、クランプ３１を装着されたブルートゥースイヤーセットを図３（ａ）〜３（ｇ）を参照して以下説明する。
【００３２】
図３（ａ）は、図１（ａ）に示すブルートゥースイヤーセット２と図２（ａ）に示すクランプ３１が一緒に装着されることを示す概略図である。参照符号１は、クランプ３１を装着されたブルートゥースイヤーセットを示す。同図内のその他の参照符号はそれぞれ上記と同じ部分を示す。
【００３３】
図３（ｂ）は、図３（ａ）に示すブルートゥースイヤーセットの部分拡大図である。ブルートゥースイヤーセット２のクランプ軸６がクランプ３１の軸受け穴３５内に貫入され、クランプ３１が支持される。参照符号１４は、バネ（図示せず）を搭載することのできる場所を示す。
【００３４】
図３（ｃ）は、クランプ３１を有するブルートゥースイヤーセット１の側面図であって、このとき、ブルートゥースイヤーセット１は通話（使用）状態にある。この状態で、イヤホン部４は、収容位置から２つのＹ字状アーム７によって囲まれる空間９の外へと回転させられており、通話のためにユーザの耳にイヤホンヘッド１０を挿入することができる。同図内の他の参照符号はそれぞれ上記と同じ部分を示す。
【００３５】
図３（ｄ）は、使用されておらず、収容されようとしているブルートゥースイヤーセット１の状態を示す。同図において、イヤホン部４は収容位置、すなわち、２つのＹ字状アーム７によって囲まれる空間９内まで回転させられている。本体部３の下端８とクランプ３１の押圧部３６は（反対方向の２つの矢印によって示されるように）２つの指によって押され、その後、クランプ３１のクランプ口端部３７が（アーチ形の矢印によって示されるように）開放されて、ブルートゥースイヤーセット１を適当な位置に固定および収容することができる。同図内の他の参照符号はそれぞれ上記と同じ部分を示す。
【００３６】
図３（ｃ）および３（ｄ）に示すように、本体部３のクランプ軸６は本体部３の下端の近傍位置に配置され、クランプ３１のクランプ口端部３７はイヤホン部４近傍の位置に配置される。あるいは逆に、本体部３のクランプ軸６がイヤホン部近傍の位置に配置され、クランプ３１のクランプ口端部３７が本体部の下端近傍の位置に配置される（図示せず）。
【００３７】
図３（ｅ）は、図３（ａ）に示すブルートゥースイヤーセットの別の面を示す。クランプ３１の中空穴３３がスイッチボタン１１の適切な位置を提供するので、ボタンを都合よく操作することができる。同図内の他の参照符号はそれぞれ上記と同じ部分を示す。
【００３８】
図３（ｆ）および３（ｇ）はクランプ３１を有するブルートゥースイヤーセット１の透視図であり、ブルートゥースイヤーセット１の収容状態および使用状態をそれぞれさらに示す。
＜実施例２＞
【００３９】
本考案の実施例２に係る、クランプを装着した（あるいはクランプを装着していない、図示せず）ブルートゥースイヤーセットを図４（ａ）〜４（ｇ）を参照して以下説明する。
【００４０】
図４（ａ）では、参照符号１’はクランプを装着したブルートゥースイヤーセットを示し、符号４’はイヤホン部を示し、符号１０’はイヤホンヘッドを示し、符号３１’はクランプを示し、符号６’はクランプ軸を示し、符号３６’はクランプの押圧部を示し、符号１１’はブルートゥースイヤーセットのスイッチボタンを示し、符号３３’はスイッチボタン１１’用にクランプの表面に設けられた中空穴を示す。
【００４１】
図４（ｂ）は、図４（ａ）の左側面図である。参照符号３’は本体部を示し、符号１２’は音量ボタンを示し、符号１３’はブルートゥースイヤーセットを充電するためのソケットを示す（本明細書に記載の機能ボタンおよびソケットは単に例として挙げたものであり、具体的な設計は変更してよい）。符号８’は本体部３’の下端を示し、符号３５’はクランプ軸６’を通過させる軸受け穴を示す。参照符号１８は本体部３’の上端に形成される斜面を示し、参照符号１８’はイヤホン４’の下端に形成される斜面を示す。これらの２つの斜面はそれぞれ、符号Ｂによって示される同じ角度で縦軸から偏向し、適切な角度Ｂの範囲は３０度〜４５度である。２つの斜面１８および１８’は（図示するように）互いに接触されており、イヤホン部４’が本体部３’に対して捻回可能である捻回面を構成する。イヤホン部４’と本体部３’との接続装置は、一方の斜面上にある捻回軸と、他方の斜面にあり捻回軸に対応して嵌合される軸保持腔と、それぞれが２つの斜面上にあり互いに嵌合される電気的に接触する導体と（回転軸、軸保持腔、電気的に接触する導体はいずれも図示せず）とを含む。図４（ｂ）に示すイヤホン４’は収容状態にあり、イヤホン部４’の縦軸と本体部３’の縦軸とは直線で合致する。イヤホン部４’が同図の左上のアーチ形矢印によって示される方向に（本体部３に対して）１８０度捻回させられた場合、イヤホン部４’の縦軸と本体部３’の縦軸は、図４（ｄ）に示すように約９０度の角度を成す。角度Ｂが４５度のとき、２つの縦軸の角度は９０度である。より明確には、角度Ｂが３０度のとき、２つの縦軸の角度は６０度である。２つの縦軸の角度は、同様にして角度Ｂを参照して推定することができる。製造時、２つの縦軸の角度がユーザを快適にするように角度Ｂの大きさが選択される。位置限定（または角度限定）機構（図示せず）が、斜面１８と１８’によって構成される捻回可能面の捻回可能範囲（１８０度）の両端に設けられる。同図内の他の参照符号はそれぞれ上記と同じ部分を示す。
【００４２】
図４（ｃ）は、斜面を有するブルートゥースイヤーセットの収容状態を示す側面図である。互いに反対方向の２つの矢印によって示されるように、本体部３’の下端８’とクランプ３１’の押圧部３６’は、図内のアーチ形矢印によって示されるように２つの指によって押されて、その後、クランプ３１’のクランプ口端部３７’が開放されて、収容状態のブルートゥースイヤーセット１’を適切な場所で固定および収容させることができる。
【００４３】
図４（ｄ）は、通話（使用）状態を示す。図で示される状態は、図４（ｂ）に示すイヤホン部４’を斜面１８と１８’によって構成される捻回可能面で本体部３‘に対して１８０度捻回させることによって達成され、その後イヤホンヘッド１０’を、ユーザが使用のため耳に挿入することができる。イヤホン部４’を収容状態へと捻回させる必要がある場合、図の上部のアーチ形矢印の方向にイヤホン部４’を１８０度相対的に捻回させて、図４（ｂ）または４（ｃ）に示す状態に復元させることができる。
【００４４】
図４（ｃ）および４（ｄ）に示すように、本体部３’のクランプ軸６’は本体部３’の下端近傍に配置され、クランプ３１’のクランプ口端部３７’はイヤホン部４’近傍の位置に配置される。
【００４５】
図４（ｅ）および４（ｆ）は、ブルートゥースイヤーセット１’の収容状態と使用状態をそれぞれさらに示す透視図である。
【００４６】
実施例１と同様、実施例２では、図４（ｇ）に示すように、有線で情報を受信または送信するプラグポート（ＵＳＢポートまたは別の種類のプラグポート）２１’が本体部３’の下端８’に設けられる。プラグポート２１’の使用法は上述したとおりである。
【００４７】
実施例１では、ブルートゥースイヤーセットの外形が平坦であることが好ましく、特定の構造を採れるように、ブルートゥースイヤーセットのイヤホン部がブルートゥースイヤーセットの断面（略矩形）の長辺で内外に回転させられる。実施例２では、ブルートゥースイヤーセットの中心軸を中心にイヤホン部を捻回させ易いように、ブルートゥースイヤーセットの断面が略正方形であることが好ましい。当然ながら、その正方形は、４隅が丸みを帯び、あるいはほぼ円形である正方形と置き換えることも可能である。
＜実施例３＞
【００４８】
本考案の実施例３に係るブルートゥースイヤーセットを図５（ａ）〜５（ｃ）および図６（ａ）および６（ｂ）を参照して以下説明する。
【００４９】
図５（ａ）は、本考案の実施例３に係るブルートゥースイヤーセット３０１の外面図（耳に密着していない面）である。参照符号３０２は内蔵マイクロホンを有する本体部を示し、符号３０３はイヤホン部を示し、符号３１６は接続装置を示し、符号３０４はクランプを示し（クランプ３０４は省略することもできる）、符号３０５はクランプ３０４の手で押される部分を示し、符号３０６はバネ（図示せず）が装着されるクランプ３０４の軸ピンを示す。参照符号３１１はスイッチボタンを示し、符号３１２は表示ランプを示し、符号３１３は音量ボタンを示す（本明細書に記載の機能ボタンおよび表示ランプは単に例として挙げたものであり、具体的な設計は変更してよい）。
【００５０】
図５（ｂ）は図５（ａ）の側面図である。イヤホン部３０３と本体部３０２は共通に使用される角度である約９０度の角度を成すことが同図から見て取れる。イヤホン部３０３近傍の矢印は、イヤホンを回転させられる方向を示す。接続装置３１６は、回転軸と、本体部３０２とイヤホン部３０３のそれぞれ対応する位置の軸保持腔（軸腔）（図示せず）とを接続装置を回転させることができるように設けることによって構成可能である。イヤホンを回転させる機能を実現するため、接続装置３１６の製造時に回転角をできる限り大きくすべきであり（たとえば、回転角は０度〜３００度にすることができる）、イヤホンが少なくとも９０度回転できるように確保すべきである。簡便な利用のため、製造時（たとえば、プラスチック材が成形される際）に接続装置３１６内に多数の溝突出止め具を作製することができる。よって、回転角の全範囲において、回転角を一定に保つようにイヤホン部３０３を任意のいずれかの溝突出止め具で停止させることができ、再度押される際、同様にして次の溝突出止め具および残りの溝突出止め具までイヤホン部３０３を回転させることができる。ユーザが最も快適な角度を選択することができるように、溝突出止め具の数は、２〜数十とすることができる（図示せず）。
【００５１】
図５（ｂ）はクランプ３０４とクランプの押圧部３０５の側面を示し、点線で示すクランプ３０４’と押圧部３０５’は、クランプが３０５’の位置で手で押され、３０４’の位置で開放される様子を示す。図５（ｂ）に示すように、クランプ３０４の軸ピン３０６は本体部３０２の上端近傍の位置に配置され、クランプ３０４のクランプ口端部はイヤホン部３０３から離れた位置に配置される。もちろん、クランプ３０４は逆さまにすることもできる（図示せず）。参照符号３０４、３０４’と３０５、３０５’近傍の双方向アーチ形矢印は、クランプが開閉される方向と手で押される方向をそれぞれ示す。参照符号３１４は、内蔵マイクロホン用に設けられた音声用開口部を示す。参照符号３１５は、ブルートゥースイヤーセットを充電するために設けられたソケットを示す。同図内の他の参照符号はそれぞれ上記と同じ部分を示す。
【００５２】
図５（ｃ）は、クランプ３０４と押圧部３０５とを個々に示す概略図である。クランプ３０４が中空のフレーム状であることが同図から見て取れる。クランプ３０４はフレーム状であるため、スイッチボタン３１１や表示ランプ３１２などを覆わない。ブルートゥースイヤーセット３０１に適した形状である限り、フレーム形状は同図に示される形状に限定されない。本体部３０２に装着されるクランプ３０４は、グリッド状またはその他通常の形状（図示せず）としてもよい。
【００５３】
図６（ａ）および６（ｂ）は、図５（ａ）および５（ｂ）に示すイヤホン部３０３が、本体部３０２と略同一の方向に本体部３０２の上で回転させられていることを示す。この場合、ブルートゥースイヤーセット３０１は収容状態にある。同図内の他の参照符号はそれぞれ上記と同じ部分を示す。
【００５４】
図５（ｂ）および６（ｂ）から、イヤホン部３０３は、本体部３０２の上方を指す方向にイヤホン部３０３を回転させることによって、図５（b）に示す使用状態から図６（ｂ）に示す収容状態へ変更される、すなわち、イヤホン部３０３の縦軸が本体部３０２の上方に延びる本体部３０２の縦軸の部分と同一である、あるいは合致するようにイヤホン部３０３が回転させられることが見て取れる。
【００５５】
図１（ａ）〜１（ｄ）、５（ａ）、５（ｂ）、６（ａ）、および６（ｂ）に示す接続装置には、正確に加工および嵌合することができ、摩擦力による回転または捻回および位置決めを実現する構造（図示せず）も、回転角または捻回角の範囲内に設けることができ、たとえば摩擦作用を補助するために摩擦面に摩擦剤を貼付することができる。よって、回転角を一定に保つようにイヤホン部３０３を任意の角度で停止させることができ、再度押される際、同様にして次の角度および残りの角度までイヤホン部を回転させることができる。
【００５６】
本考案の例示の実施例を、図面を参照して詳細に説明したが、本考案は上記の具体的な実施例に限定されない。当業者にとっては、本考案の精神と範囲を逸脱せずに、本考案に様々な変更や修正を加えることは自明である。本考案の範囲は、以下の請求項およびその同等のものによって定義される。
【符号の説明】
【００５７】
１、１’  
２  ブルートゥースイヤーセット
３、３’  本体部
４、４’  イヤホン部
６、６’  クランプ軸
７  Ｙ字状アーム
８、８’下端
９  空間
１０、１０’  イヤホンヘッド
１１、１１’  スイッチボタン
１２、１２’  音量ボタン
１３、１３’  ソケット
１８、１８’  斜面
２１、２１’  プラグポート
３１、３１’  クランプ
３３、３３’  中空穴
３４  切欠き
３５、３５’  軸受け穴
３６、３６’  押圧部
３７、３７’  クランプ口端部
３０１  ブルートゥースイヤーセット
３０２  本体
３０３  イヤホン
３０４、３０４’  クランプ
３０５、３０５’  押圧部
３０６  軸ピン
３１１  スイッチボタン
３１２  表示ランプ
３１３  音量ボタン
３１４  開口部
３１５  ソケット
３１６  接続装置
【手続補正２】
【補正対象書類名】実用新案登録請求の範囲
【補正対象項目名】全文
【補正方法】変更
【補正の内容】
【実用新案登録請求の範囲】
【請求項１】
内蔵マイクロホンを有する本体部と、
前記本体部に装着されるイヤホン部と、
前記本体部と前記イヤホン部とを接続する接続装置と、
を備え、前記イヤホン部が前記接続装置によって前記本体部に保持され、前記接続装置が、前記本体部に対して前記イヤホン部を収容状態と使用状態との間で回転または捻回させることによって、イヤホン部の状態を変更する回転または捻回機構を有することを特徴とするブルートゥースイヤーセット。
【請求項２】
Ｙ字状フレームが前記本体部の上端に設けられ、前記収容状態でイヤホンを収納する空間が前記Ｙ字状フレームの２つのＹ字状アーム間に設けられ、前記接続装置が前記Ｙ字状アームの端部の軸受け穴と前記イヤホン部の回転軸とによって構成され、前記イヤホン部の回転軸が前記本体部の縦軸に直交し、前記イヤホン部の縦軸が前記本体部の縦軸に平行である、あるいは合致し、イヤホン部が空間内に配置される収容状態から、前記２つの縦軸が両者間に約９０度の角度を形成する使用状態へと前記回転軸を中心にイヤホン部を回転させることができることを特徴とする、請求項１記載のブルートゥースイヤーセット。
【請求項３】
Ｙ字状フレームが前記本体部の上端に設けられ、前記接続装置が、Ｙ字状アームの端部の軸保持腔と、前記イヤホン部の回転軸とによって構成され、前記イヤホン部の回転軸が前記本体部の縦軸に直交しており、前記イヤホン部の縦軸が前記本体部の上方に延びる本体部の縦軸の部分と平行である、あるいは合致する収容状態から、前記２つの縦軸が両者間に約９０度の角度を形成する使用状態へと前記イヤホン部を回転させることができることを特徴とする、請求項１記載のブルートゥースイヤーセット。
【請求項４】
斜面が前記本体部の上端に形成され、同一の傾斜を有する別の斜面が前記イヤホン部の下端に形成され、前記２つの斜面が前記収容状態において互いに接触しているときに前記本体部の縦軸と前記イヤホン部の縦軸とが直線で合致し、前記接続装置が前記一方の斜面上にある捻回軸と、前記他方の斜面にあり、前記捻回軸と対応して嵌合される軸保持腔と、それぞれが前記２つの斜面上にあり、互いに嵌合される電気的に接触する導体とによって構成され、２つの縦軸が直線で合致する前記収容状態から前記２つの縦軸が両者間に約９０度の角度を成す前記使用状態まで前記捻回軸を中心に前記イヤホン部を約１８０度捻回させることができるように、互いに接触させたまま前記２つの斜面を相対的に捻回させることができることを特徴とする、請求項１記載のブルートゥースイヤーセット。
【請求項５】
前記本体部の斜面と前記イヤホン部の斜面が、前記各斜面の縦軸に対して３０度〜４５度の角度を成すことを特徴とする、請求項４記載のブルートゥースイヤーセット。
【請求項６】
前記接続装置には、前記回転角または捻回角の範囲の両端に内蔵の位置限定または角度限定機構が設けられ、途中で停止させることのできるいくつかの溝突出止め具も前記回転角または捻回角の範囲に設けることができることを特徴とする、請求項１ないし５のいずれか記載のブルートゥースイヤーセット。
【請求項７】
前記接続装置には、前記回転角または捻回角の範囲に、正確に加工および嵌合される構造が設けられることを特徴とする、請求項１ないし５のいずれか記載のブルートゥースイヤーセット。
【請求項８】
摩擦作用を補助するため、摩擦剤が前記接続装置の構造の摩擦面に貼付されることを特徴とする、請求項７記載のブルートゥースイヤーセット。
【請求項９】
前記ブルートゥースイヤーセットにクランプが装着されることを特徴とする、請求項１ないし５のいずれか記載のブルートゥースイヤーセット。
【請求項１０】
前記クランプを開閉するための回転軸が前記本体部の下端近傍の位置に配置され、前記クランプのクランプ口端部が前記イヤホン部近傍の位置に配置される、あるいは、前記クランプを開閉するための回転軸が前記イヤホン部近傍の位置に配置され、前記クランプの前記クランプ口端部が前記本体部の下端近傍の位置に配置されることを特徴とする、請求項９記載のブルートゥースイヤーセット。
【請求項１１】
中空穴が前記クランプのクランプ面に設けられている、あるいは、前記クランプ面が中空フレーム状である、あるいは前記クランプ面がグリッド状であることを特徴とする、請求項９記載のブルートゥースイヤーセット。
【請求項１２】
前記クランプがペンクリップ状またはボールペンクリップ状であり、前記クランプの固定端が前記本体部の上端または下端に配置されることを特徴とする、請求項９記載のブルートゥースイヤーセット。
【請求項１３】
前記本体部に、有線で情報を受信および／または送信するプラグポートも装着されることを特徴とする、請求項１記載のブルートゥースイヤーセット。
【請求項１４】
前記プラグポートを、前記ブルートゥースイヤーセットによって受信される音楽情報を演奏するステレオイヤホンに接続することができることを特徴とする、請求項１３記載のブルートゥースイヤーセット。
【手続補正書】
【提出日】平成22年7月30日(2010.7.30)
【手続補正１】
【補正対象書類名】手続補正書
【補正対象項目名】手続補正２
【補正方法】変更
【補正の内容】
【手続補正２】
【補正対象書類名】実用新案登録請求の範囲
【補正対象項目名】全文
【補正方法】変更
【補正の内容】
【実用新案登録請求の範囲】
【請求項１】
内蔵マイクロホンを有する本体部と、
前記本体部に装着されるイヤホン部と、
前記本体部と前記イヤホン部とを接続する接続装置と、
を備え、前記イヤホン部が前記接続装置によって前記本体部に保持され、前記接続装置が、前記本体部に対して前記イヤホン部を収容状態と使用状態との間で回転または捻回させることによって、イヤホン部の状態を変更する回転または捻回機構を有することを特徴とするブルートゥースイヤーセット。
【請求項２】
Ｙ字状フレームが前記本体部の上端に設けられ、前記収容状態でイヤホンを収納する空間が前記Ｙ字状フレームの２つのＹ字状アーム間に設けられ、前記接続装置が前記Ｙ字状アームの端部の軸受け穴と前記イヤホン部の回転軸とによって構成され、前記イヤホン部の回転軸が前記本体部の縦軸に直交し、前記イヤホン部の縦軸が前記本体部の縦軸に平行である、あるいは合致し、イヤホン部が空間内に配置される収容状態から、前記２つの縦軸が両者間に約９０度の角度を形成する使用状態へと前記回転軸を中心にイヤホン部を回転させることができることを特徴とする、請求項１記載のブルートゥースイヤーセット。
【請求項３】
Ｙ字状フレームが前記本体部の上端に設けられ、前記接続装置が、Ｙ字状アームの端部の軸保持腔と、前記イヤホン部の回転軸とによって構成され、前記イヤホン部の回転軸が前記本体部の縦軸に直交しており、前記イヤホン部の縦軸が前記本体部の上方に延びる本体部の縦軸の部分と平行である、あるいは合致する収容状態から、前記２つの縦軸が両者間に約９０度の角度を形成する使用状態へと前記イヤホン部を回転させることができることを特徴とする、請求項１記載のブルートゥースイヤーセット。
【請求項４】
斜面が前記本体部の上端に形成され、同一の傾斜を有する別の斜面が前記イヤホン部の下端に形成され、前記２つの斜面が前記収容状態において互いに接触しているときに前記本体部の縦軸と前記イヤホン部の縦軸とが直線で合致し、前記接続装置が前記一方の斜面上にある捻回軸と、前記他方の斜面にあり、前記捻回軸と対応して嵌合される軸保持腔と、それぞれが前記２つの斜面上にあり、互いに嵌合される電気的に接触する導体とによって構成され、２つの縦軸が直線で合致する前記収容状態から前記２つの縦軸が両者間に約９０度の角度を成す前記使用状態まで前記捻回軸を中心に前記イヤホン部を約１８０度捻回させることができるように、互いに接触させたまま前記２つの斜面を相対的に捻回させることができることを特徴とする、請求項１記載のブルートゥースイヤーセット。
【請求項５】
前記本体部の斜面と前記イヤホン部の斜面が、前記各斜面の縦軸に対して３０度〜４５度の角度を成すことを特徴とする、請求項４記載のブルートゥースイヤーセット。
【請求項６】
前記接続装置には、回転角または捻回角の範囲の両端に内蔵の位置限定または角度限定機構が設けられ、途中で停止させることのできるいくつかの溝突出止め具も回転角または捻回角の範囲に設けることができることを特徴とする、請求項１ないし５のいずれか記載のブルートゥースイヤーセット。
【請求項７】
摩擦作用を補助するため、摩擦剤が前記接続装置の構造の摩擦面に貼付されることを特徴とする、請求項１ないし５のいずれか記載のブルートゥースイヤーセット。
【請求項８】
前記ブルートゥースイヤーセットにクランプが装着されることを特徴とする、請求項１ないし５のいずれか記載のブルートゥースイヤーセット。
【請求項９】
前記クランプを開閉するための回転軸が前記本体部の下端近傍の位置に配置され、前記クランプのクランプ口端部が前記イヤホン部近傍の位置に配置される、あるいは、前記クランプを開閉するための回転軸が前記イヤホン部近傍の位置に配置され、前記クランプの前記クランプ口端部が前記本体部の下端近傍の位置に配置されることを特徴とする、請求項８記載のブルートゥースイヤーセット。
【請求項１０】
中空穴が前記クランプのクランプ面に設けられている、あるいは、前記クランプ面が中空フレーム状である、あるいは前記クランプ面がグリッド状であることを特徴とする、請求項８記載のブルートゥースイヤーセット。
【請求項１１】
前記クランプがペンクリップ状またはボールペンクリップ状であり、前記クランプの固定端が前記本体部の上端または下端に配置されることを特徴とする、請求項８記載のブルートゥースイヤーセット。
【請求項１２】
前記本体部に、有線で情報を受信および／または送信するプラグポートも装着されることを特徴とする、請求項１記載のブルートゥースイヤーセット。
【請求項１３】
前記プラグポートを、前記ブルートゥースイヤーセットによって受信される音楽情報を演奏するステレオイヤホンに接続することができることを特徴とする、請求項１２記載のブルートゥースイヤーセット。
【手続補正２】
【補正対象書類名】手続補正書
【補正対象項目名】手続補正３
【補正方法】削除
【補正の内容】